(57)【要約】【課題】作業性および操作性を向上させた穀物調製設備を提供する。【解決手段】タッチパネルａ４の揺動選別式籾摺機１０１の調整方法を設定するメンテナンス３画面Ｇ３ｃに揺動選別式籾摺機１０１の調製モードを複数設定可能とする、調製モード設定画面１７９を設けるとともに、タッチパネルａ４の揺動選別式籾摺機１０１の設定を行う揺動選別式籾摺機設定画面Ｇ４に調製モード設定画面１７９で設定した複数の調製モードを表示する調製モード切替画面１７９´を設け、調製モード切替画面１７９´の複数の調製モードから選択した１の調製モードにより、揺動選別式籾摺機１０１を作動させるコントローラ２００を制御機構に備えるものである。【選択図】図２１
2007326005.tif 000002
【特許請求の範囲】
【請求項１】
穀物調製装置と、
前記穀物調製装置を表示部を介して制御する制御機構と、
を備える穀物調製設備において、
前記表示部の前記穀物調製装置の調整方法を設定するメンテナンス画面に前記穀物調製装置の調製モードを複数設定可能とする、調製モード設定画面を設けるとともに、前記表示部の前記穀物調製装置の設定を行う設定画面に前記調製モード設定画面で設定した前記複数の調製モードを表示する調製モード切替画面を設け、
前記調製モード切替画面の前記複数の調製モードから選択した１の調製モードにより、前記穀物調製装置を作動させるモード調整手段を前記制御機構に備えるとともに、前記表示部の通常に表示されるメイン画面に、前記調製モード切替画面を有する前記設定画面を表示させるためのモードスイッチを備えることを特徴とする、穀物調製設備。
【請求項２】
前記表示部は、タッチパネルであるとともに、前記表示部に表示した前記穀物調製装置は、揺動選別式籾摺機である、請求項１に記載の穀物調製設備。
【請求項３】
前記調製モードは、前記揺動選別式籾摺機に有する脱ぷロールのロール圧力と、揺動選別板の穀粒通路切替弁のタイマーとの組み合わせであることを特徴とする、請求項１〜２に記載の穀物調製設備。
【発明の詳細な説明】
【技術分野】
【０００１】
本発明は、穀物調製装置と、穀物調製装置を表示部を介して制御する制御機構とを備える穀物調製設備に関し、より詳細には、表示部の穀物調製装置の調整方法を設定するメンテナンス画面に穀物調製装置の調製条件を複数設定可能とする、調製モード設定画面を設けるとともに、表示部の穀物調製装置の設定を行う設定画面に調製モード設定画面で設定した複数の調製モードを表示する調製モード切替画面を設け、調製モード切替画面の複数の調製モードから選択した１の調製モードにより、穀物調製装置を作動させるモード調整手段を制御機構に備えるとともに、前記表示部の通常に表示されるメイン画面に、前記調製モード切替画面を有する前記設定画面を表示させるためのモードスイッチを備える穀物調製設備に関する。
【背景技術】
【０００２】
従来の穀物調製設備には、図２３に示すように、原料昇降機３００、脱ぷ風選装置３０１、揺動選別装置３０２、仕上風選装置３０３、石抜機３０４、粒選別機３０５、色彩選別機１０７、製品昇降機１０８などの調製装置を備え、例えば籾などの原料穀粒を籾摺りし、脱ぷされた籾殻や混入していた小石などの異物を除去して玄米やうるち米などの製品に精製するものがある。前記穀物調製設備は、運転状態を集中的に監視できるようにするため、設備を模式的に表示したグラフィックパネルや、制御情報を入力するための操作スイッチなどをタッチパネルなどを介して制御する監視操作部を有する制御盤を備えており、前記タッチパネルの表示面上に異常要因スイッチ１４８を表示させる機能と、表示面上に調製装置の異常の発生および該位置を発光表示させる機能と、発光の状態下で異常要因スイッチ１４８に作業者が触れたときに、異常の内容や対処方法についての文字情報を表示面上に表示させる機能とを設けたことにより、監視操作部を小型化でき、調製装置近傍の現場などであっても的確な監視と充実した制御及び入力操作が行える、という。（特許文献１）
【０００３】
【特許文献１】特開２００５−１５２６８４号公報
【発明の開示】
【発明が解決しようとする課題】
【０００４】
しかし、このような従来の穀物調製設備では、該穀物調製設備に供給される籾や麦などの原料穀粒を穀物調製装置で調製し、調製後に製品とされる、うるち米やもち米、小麦などの製品の品種によって、穀物調製装置での調製条件が異なるため、作業者は製品の変更に伴い、例えば、脱ぷ風選装置において原料穀粒を脱ぷ処理する脱ぷロールの圧力設定や、揺動選別装置において揺動選別板からの選別穀粒の落下経路を所定の時間で切り替えるタイマー設定など、製品に対応する様々な組み合わせの調製条件の設定変更をその都度行わなければならず、該調製条件の設定変更の要領には熟練を要するため、不慣れな作業者には容易に変更できないという問題があった。そのため、作業性が低下していた。
そこでこの発明の目的は、作業性および操作性を向上させた穀物調製設備を提供することにある。
【課題を解決するための手段】
【０００５】
このため請求項１に記載の発明は、穀物調製装置と、前記穀物調製装置を表示部を介して制御する制御機構とを備える穀物調製設備において、前記表示部の前記穀物調製装置の調整方法を設定するメンテナンス画面に前記穀物調製装置の調製モードを複数設定可能とする、調製モード設定画面を設けるとともに、前記表示部の前記穀物調製装置の設定を行う設定画面に前記調製モード設定画面で設定した前記複数の調製モードを表示する調製モード切替画面を設け、前記調製モード切替画面の前記複数の調製モードから選択した１の調製モードにより、前記穀物調製装置を作動させるモード調整手段を前記制御機構に備えるとともに、前記表示部の通常に表示されるメイン画面に、前記調製モード切替画面を有する前記設定画面を表示させるためのモードスイッチを備えることを特徴とする。
【０００６】
請求項２に記載の発明は、請求項１に記載の穀物調製設備において、前記表示部は、タッチパネルであるとともに、前記表示部に表示した前記穀物調製装置は、揺動選別式籾摺機である。
【０００７】
請求項３に記載の発明は、請求項１〜２に記載の穀物調製設備において、前記調製モードは、前記揺動選別式籾摺機に有する脱ぷロールのロール圧力と、揺動選別板の穀粒通路切替弁のタイマーとの組み合わせであることを特徴とする。
【発明の効果】
【０００８】
請求項１に記載の発明によれば、穀物調製装置と、穀物調製装置を表示部を介して制御する制御機構とを備える穀物調製設備において、表示部の穀物調製装置の調整方法を設定するメンテナンス画面に穀物調製装置の調製モードを複数設定可能とする、調製モード設定画面を設けるとともに、表示部の穀物調製装置の設定を行う設定画面に調製モード設定画面で設定した複数の調製モードを表示する調製モード切替画面を設け、調製モード切替画面の複数の調製モードから選択した１の調製モードにより、穀物調製装置を作動させるモード調整手段を制御機構に備えるとともに、表示部の通常に表示されるメイン画面に、調製モード切替画面を有する設定画面を表示させるためのモードスイッチを備えるので、予め設定された製品に対応する穀物調製装置の調製モードを制御盤の表示部で選択することにより、容易に調製条件を変更して原料穀粒を所望する製品に調製することができる。また、容易な操作で作業者に現在の調製モードを把握させ易く、異なる調製モードへの変更などの誤操作を防止することができる。従って、作業性および操作性ならびに安全性を向上させた穀物調製設備を提供することができる。
【０００９】
請求項２に記載の発明によれば、表示部は、タッチパネルであるとともに、表示部に表示した穀物調製装置は、揺動選別式籾摺機であるので、作業者は表示画面上を簡単なワンタッチ操作により製品に対応した揺動選別式籾摺機の調製モードを選択し、原料穀粒を調製させることができる。従って、作業性および操作性を向上させた穀物調製設備を提供することができる。
【００１０】
請求項３に記載の発明によれば、調製モードは、揺動選別式籾摺機に有する脱ぷロールのロール圧力と、揺動選別板の穀粒通路切替弁のタイマーとの組み合わせであることを特徴とするので、製品に対応した揺動選別式籾摺機の調製モードを簡単に選択することができる。従って、作業性および操作性を向上させた穀物調製設備を提供することができる。
【発明を実施するための最良の形態】
【００１１】
以下、図面を参照しつつ本発明を実施するための最良の形態について説明する。
図１は、本発明の一例としての穀物調製設備のフローシート、図２は穀物調製設備を右前面から見た斜視図、図３は穀物調製設備を右後面から見た斜視図、図４は穀物調製設備の正面図、図５は穀物調製設備の平面図である。
【００１２】
図１に示すように、本発明の穀物調製設備１は、原料昇降機１００、脱ぷ風選装置１０１Ａ及び揺動選別装置１０１Ｂからなる揺動選別式籾摺機１０１、粒選別機投入昇降機１０２、仕上風選装置１０３、石抜機１０４、粒選別機１０５、色彩選別機投入昇降機１０６、色彩選別機１０７、製品昇降機１０８、製品タンク１０９などが備えられる。
【００１３】
先ず原料昇降機１００について説明すると、前工程の粗精選処理を終えた米麦などの原料が供給される供給口１００ａに設けられた原料シャッタｓ１０を開状態にすることで上昇搬送し原料出口から流出させるものであり、原料出口では、「循環」「取出」「自動」のうちの何れか一つの状態で作動し得る切替操作ｇが可能とされる。この際、「循環」状態は原料出口から流出した原料を脱ぷ風選装置１０１Ａの原料タンク６へ落下させる状態をいい、また「取出」状態は原料出口から流出した原料を取出タンクｔ１に落下させる状態をいい、また「自動」は基本的には「循環」状態に準じて作動するが、予め設定された時間が経過する度に比較的短い時間だけ「取出」状態にされる。
【００１４】
次に揺動選別式籾摺機１０１について説明する。図６は、揺動選別式籾摺機の全体斜視図、図７は揺動選別式籾摺機の全体正面断面図、図８は揺動選別装置の正面模式図、図９は揺動選別装置の側面模式図を示す。揺動選別式籾摺機１０１は、脱ぷ風選装置１０１Ａを揺動選別装置１０１Ｂ上に載設して構成され、揺動選別装置１０１Ｂ上部の外周囲に作業フロア２ａが横外方への張出し状に設けられるとともに、揺動選別装置１０１Ｂの下端部ａ１と作業フロア２ａとの間に昇降移動用の階段２ｂが設けられる。
【００１５】
脱ぷ風選装置１０１Ａは、図６に示すように、作業フロア２ａよりも上側で作業フロア２ａ上に立った状態の作業者の手の届く範囲内に左右一対の脱ぷロール３が設けられ、外面ケーシング５の上側には原料タンク６が設けられており、該原料タンク６から非脱ぷ状態である籾などの穀粒が、被処理物通路７を通じて、一対の脱ぷロール３上に落下され、脱ぷロール３は落下した穀粒を挟み付けて摩擦することにより脱ぷ処理し、図７に示すように脱ぷ処理された被処理物が案内板８ａ，８ｂに案内されて落下口９から落下する。この一方では揺動選別装置１０１Ｂの外面ケーシング１０内の空気が、この外面ケーシング１０内に設けられた動力ファン１１の吸引力により脱ぷ風選装置１０１Ａの外面ケーシング５の下面に形成された空気入口１２ａ，１２ｂ，１２ｃから吸引されて矢印方向ｆ１へ流動し、次に案内板８ｂとこれの下側の案内板１３とで囲まれた選別風路１４内を矢印ｆ２で示す右斜め上方へ流動し、この空気流動による風選作用により玄米などの脱ぷ状穀粒は取出樋１５からオーガ１５ａの搬送作用で取り出され、脱ぷされなかった籾などの２番物は取出樋１６からオーガ１６ａの搬送作用で外方へ取り出される。
【００１６】
選別風路１４の右下側には案内板１７ａ，１７ｂで囲まれた塵埃分離室１８が形成されており、この塵埃分離室１８の底部には繰出しロータ１９ａを内包したエアロックバルブ１９を介装した外殻排出路２０が形成されると共に、塵埃分離室１８の左上部には空気吸引孔２１が形成され、この空気吸引孔２１から、案内板２２ａ，２２ｂで囲まれた空気吸引路２３が下方へ向けて延出される。
【００１７】
選別風路１４内を矢印方向ｆ２へ流動する空気は、落下口９より落下した被処理物からその外殻を分離させるとともに、この外殻と一緒に塵埃分離室１８内に流入して流速が低下し、外殻が重力分離されて空気のみが空気吸引路２３を通じて下方へ流動される。一方、外殻は、塵埃分離室１８の底部に降下した後、エアロックバルブ１９で空気の流通を遮断された状態の下で外殻排出路２０を通じて空気吸引路２３の内方へ排出される。また、２４ａ及び２４ｂは、二番物取出樋１６内からオーガ１６ａで取り出された小米や粃まどの二番物が落下する二番物落下路２５を形成する案内板であり、この二番物落下路２５は、揺動選別装置１０１Ｂの外面ケーシング１０から突出された二番物取出口２６に連通される。そして、外面ケーシング１０の頂面部１０ａの上側に設けられた混合物タンク２７に、脱ぷ風選装置１０１Ａの玄米や混合米などの一番物取出樋１５から取り出された被処理物が選別機投入昇降機２８を介して搬送された後に投入される。
【００１８】
揺動選別装置１０１Ｂは、図７〜９に示すように、外面ケーシング１０により略密閉状に囲まれた空間内に、前後方向と左右方向の双方に傾斜された選別要部２９が設けてあり、この選別要部２９は上面に凹凸の形成された平板状の揺動選別板２９ａを複数段に積み重ねて左右方向ｆ３に揺動運動し、この揺動選別板２９ａの奥側である前後傾斜上位側に固定された供給タンク２９ｂ内に混合物タンク２７の被処理物が供給され、前面側である前後傾斜下位側に固定された被処理物排出樋２９ｃから揺動選別板２９ａで選別処理された後の被処理物が取り出される。
【００１９】
この被処理物排出樋２９ｃの内方には脱ぷ状穀粒のみの一群とそれ以外の被処理物の一群とを分けて特定個所から落下させる仕切板ｇ１が図示しないモータによる左右送り変位可能に設けられており、また被処理物排出樋２９ｃから落下する穀粒の落下経路を切り替えるための通路切替弁ｇ２が設けられている。この通路切替弁ｇ２は支点ｐ１回りへ揺動されて「自動」「循環」「仕上」の３つの状態のうちの何れかの状態に保持されるもので、「自動」の状態となされたときには、玄米などの脱ぷ状穀粒のみの落下経路ｈ１に籾などの非脱ぷ状穀粒が混合する可能性が近づいたときにのみ、これを図示しないセンサが検出することなどに関連して、自動的に脱ぷ状穀粒のみの落下経路ｈ１の出口を閉鎖する側へ揺動されて仮想線で示す位置ｐ２に一時的に変位され、落下経路ｈ１に案内されて落下した被処理物を脱ぷ状穀粒及び非脱ぷ状穀粒の混合物の落下経路ｈ２内に落下させる。
【００２０】
また「循環」の状態では、仮想線で示す位置ｐ２に保持されて脱ぷ状穀粒のみの落下経路ｈ１の出口を常に閉鎖した状態とされ、落下経路ｈ１に案内されて落下した被処理物を常に混合物の落下経路ｈ２内に落下させる状態とし、また「仕上」の状態では、点線で示す位置に保持されて脱ぷ状穀粒のみの落下経路ｈ１の出口を常に開放した状態となされて、脱ぷ状穀粒の落下経路ｈ１の出口から、予定された脱ぷ状穀粒のみを落下させる状態とさせる。
【００２１】
外面ケーシング１０の内方には、揺動選別装置１０１Ｂ全体を支持した図示しない本体基礎台と同体状に支持された固定枠板９０に可動枠体９１が左右向き支点軸９２を介して結合され且つ前後傾斜角調節モータ９３の駆動による左右向き支点軸９２回りの揺動変位可能に装着されており、また可動枠体９１上には左右の前後向き支持軸９４，９５を介して左右一対のリンクアーム体９６，９７が左右揺動可能に装着されるとともに、それぞれのリンクアーム体９６，９７の上側前後個所が選別要部２９の対応個所に軸着されて、可動枠体９１、選別要部２９及び左右のリンクアーム体９６，９７を要素とした四節平行リンク機構が形成される。
【００２２】
そして、回転駆動軸９８が回転駆動されることにより左右のリンクアーム体９６，９７が左右の前後向き支持軸９４，９５回りへ繰り返し揺動されて選別要部２９が左右方向ｆ３へ揺動される。また、前後傾斜角調節モータ９３が回転作動されることにより選別要部２９の前後傾斜角度が変更され、揺動位置調節モータ１２２が回転作動されることにより選別要部２９の左右揺動範囲の角度位置が変更され、さらに左右傾斜角調節モータ１２７が回転作動されることにより選別要部２９の左右傾斜角（選別角度）が変更される。
【００２３】
外面ケーシング１０の前面部１０ｂの大部分個所は第２の扉体Ｔ２から離れる側である左側縁に設けられた縦支軸１２９を介して支持され、且つこの軸１２９回りの開放変位可能となされた第１の扉体Ｔ１となされており、この扉体Ｔ１の内面側にはこれが閉鎖状態にあるときに選別要部２９の前後傾斜下位側の被処理物排出樋２９ｃから送り出されて落下する被処理物を受け入れて特定個所へ重力作用により送り出すものとした被処理物自重落下案内路手段をなす配送シュート３０が支持片を介して固定される。
【００２４】
この配送シュート３０は、３つの独立した案内路３０ａ，３０ｂ，３０ｃを具備していて、各案内路３０ａ，３０ｂ，３０ｃの受入部はホッパ状とされ、左端の案内路３０ａは選別要部２９から受け入れた脱ぷ状穀粒を粒選別機投入昇降機１０２の供給口１０２ａで外面ケーシング１０の左側面内方に設けられたシュート１３０の内方に落下させる。また、中間位置の案内路３０ｂは、脱ぷ状穀粒及び非脱ぷ状穀粒の混合物を選別機投入昇降機２８の供給口２８ａの内方に移送するために選別要部２９下側に前後向きに配設された振動コンベア３１の搬送始端に落下させる。さらに、右端の案内路３０ｃは非脱ぷ状穀粒を原料昇降機１００の供給口１００ａの内方に移送するために選別要部２９下側に前後向きに配設された振動コンベア３２の搬送始端に落下させるような構成とされる。なお、蓋体ｅ２は、透孔ｅ１を略気密状に閉鎖するもので、上方へ揺動開放可能かつ位置保持可能とさせる。
【００２５】
外面ケーシング１０の内方右部には前記動力ファン１１が固設してあり、この動力ファン１１の空気吸引口には脱ぷ風選装置１０１Ａの空気吸引路２３と外殻排出路２０の出口とが外面ケーシング１０内の風路筒３３を介して連通状に結合されるとともに、動力ファン１１の空気吐出口からは不図示の排塵筒が外面ケーシング１０の外方へ向けて延出される。そして、動力ファン１１が作動しているときは動力ファン１１の空気吸引作用により外面ケーシング１０内の空気が脱ぷ風選装置１０１Ａの空気入口１２ａ，１２ｂ，１２ｃ及び空気吸引路２３及び風路筒３３を通じて吸引された後に図５に示す排塵筒３４を通じて外側ケーシング１０の外方へ排出される。この際、床面ａ２と外面ケーシング１０との間の隙間や、スリット３５を通じて外面ケーシング１０の外側の空気がこれの内方へ吸引され、この吸引された空気により外面ケーシング１０内に空気流が生成され、この空気流が外面ケーシング１０内の塵埃の堆積し易い個所の塵埃を空気入口１２ａ，１２ｂ，１２ｃ内に流入される。
【００２６】
次に、仕上風選装置１０３について説明する。図１０は、仕上風選装置及び石抜機の側面断面図を示す。仕上風選装置１０３の外面ケーシング３７は後述の石抜機外面ケーシング５３の上面に気密状に連続して形成される。そして、粒選別機投入昇降機１０２で移送された脱ぷ状穀粒が、貯溜室４２内に投入口３８から投入される。
【００２７】
貯溜室４２の下側には案内板４１およびこの下側に固定された案内板４７とで囲まれた傾斜状の選別風路４８が形成され、この選別風路４８の上端が上下向きの仕切板４９で囲まれた吸引室５０に連通され、一方では風選装置外面ケーシング３７の下面側の空気入口５１から吸引した空気が仕切板４９で矢印方向ｆ４へ案内されて流入し、続いて選別風路４８の下端から矢印方向ｆ５へ流動し、この空気流動により落下口４２ａから落下している脱ぷ状穀粒に混入している比較的小さい塵埃を選別風路４８で分離させ、これら塵埃を吸引室５０、空気吸引口３９及び風路管４０を経て、風路筒３３内に前記動力ファン１１の吸引力で吸引される。こうして風路筒３３内に吸引された塵埃は動力ファン１１に吸引され、籾殻などの外殻などと一緒に排塵筒３４を通じて外方へ排出される。
【００２８】
次に、石抜機１０４について説明する。上述した仕上風選装置１０３の下方に設けられた石抜機１０４は、多数の噴風口を有する多孔選別板５４が揺動作動されて、送風ファン５６により石抜機外面ケーシング５３の側面に形成された図示しない空気入口を通じて外気が吸引され、この吸引された外気によりファンケース５７内に生成された風が多数の前記噴風口から上方へ向け吹き抜けている状態の下で、仕上風選装置１０３から落下した脱ぷ状穀粒が、案内板５８ａ，５８ｂに案内されて多孔選別板５４上に供給されると、滑落し易い脱ぷ状穀粒は下位側へ流動して案内板５９で囲まれた穀粒落下路６０を通じて下方へ落下する。一方、滑落し難い石などの異物は、上位側へ送り移動されて多孔選別板５４の上端から石取出し空間１３２内に落下され、続いてファンケース５７の下側で石抜機外面ケーシング５３の内方を密閉状に横断するように配設され石取出空間１３２の下面をなしている収集樋状部６１の底部に収集され、この収集された異物は収集樋状部６１の底部に設けられたオーガ６２により石抜機外面ケーシング５３の外方へ排出される。
【００２９】
次いで粒選別機１０５は、図３に示すように６本の回転選別胴６４を縦２列で三段階に配列したものとなされ、各回転選別胴６４については周面に無数の選別孔を形成して排出側を供給側よりも少し低くした略水平姿勢となされ且つ回動可能に架設され、各回転選別胴６４の供給側の内方に石抜機１０４の穀粒落下路６０から落下した穀粒を前記選別孔の大きさに関連した大小に選別し、大きい粒形の穀粒が色彩選別機投入昇降機１０６の供給口１０６ａへ向けて流出され、小さい粒形の未熟粒などが未熟粒通路６５を経て図５に示す特定個所ｐ３へ流出される。
【００３０】
次に色彩選別機１０７は、図２および図５に示すように、サービスタンク６６と色彩選別処理部６７とを備えており、上述の色彩選別機投入昇降機１０６からサービスタンク６６の第１区画個所ｂ１に脱ぷ状の大きい粒形を有する穀粒が投入され、この第１区画個所ｂ１から色彩選別処理部６７の一次処理部に連続的に前記穀粒が供給され、この一次処理部にて先ず一次選別処理されて、良品のみの一群と、良品及び着色粒の混合品群とに選別され、混合品群が一次不良品昇降機６８で揚上搬送されてサービスタンク６６の第２区画個所ｂ２に投入され、この第２区画個所ｂ２から色彩選別処理部６７の二次処理部に連続的に供給されて二次選別処理され、この二次処理で着色粒と良品粒とに厳密に選別し、着色粒は外方に向け流出され、良品粒が二次良品昇降機６９で揚上搬送されてサービスタンク６６の第１区画個所ｂ１に戻され、この後、第１区画個所ｂ１内の他の穀粒と一緒に一次選別処理の対象となり、一方、一次選別処理で選別された良品の脱ぷ状穀粒を製品として図１に示す製品昇降機１０８の供給口１０８ａに向け流出される。
【００３１】
製品昇降機１０８の出口個所には図１に示すタンク切替弁ｇ３が設けられており、このタンク切替弁ｇ３は複数の製品タンク１０９のうちの任意なものに投入できるように作動する。また、製品タンク１０９の下方に出荷計量機１１０を設けて、１０９内の製品を計量し、任意な特定重量だけ取り出すことができるように構成してもよい。
【００３２】
なお、穀物調製設備１の各装置は、上述した配置に限定されることはなく、例えば前記色彩選別機投入昇降機１０６及び前記色彩選別機１０７を省略して、粒選別機１０５と製品昇降機１０８とを連続させ、また揺動選別装置１０１Ｂと粒選別機投入昇降機１０２との間に予め設計され適合性を確保されている不図示の異種選別機投入昇降機及び異種選別機などを設けてもよい。この際、異種選別機は、揺動選別装置１０１Ｂで選別しきれなかった脱ぷ状穀粒中の異物（例えば非脱ぷ状穀粒、米処理中の麦、草の種など）を選別するもので、揺動選別装置１０１Ｂと同様な機構により揺動選別される。
【００３３】
以上のような構成を有する穀物調製設備１を制御するために、図６に示すように外面ケーシング１０の前面部の右部で扉体Ｔ１の右側となる個所には、右側へ向かうに伴って前方へ張り出す態様の傾斜状となされた前面部３６ａを有し前後幅が左右長さに較べて比較的小さい平面視略三角形状となされた略密閉状の制御盤３６が形成される。この際、前面部３６ａの大部分が第２の扉体Ｔ２とされ、この扉体Ｔ２は第１の扉体Ｔ１から離れる側である右側縁に設けられた縦支軸１３１を介して支持され、且つこの軸１３１回りの開放変位可能となされており、第２の扉体Ｔ２の外面には基本的な各種スイッチを具備した機械式入力部ａ３や、監視操作用として液晶板を備えた表示部であるタッチパネルａ４が装設される。なお、制御盤３６の内方には穀物調製設備１の各部を制御するための制御用電気部品が密集される。
【００３４】
この制御盤３６により穀物調製設備１を制御する制御機構について説明する。図１１は、制御盤の斜視図、図１２は制御盤のモニター部の正面図を示す。前記機械的入力部ａ３には、操作電源スイッチ１３３、自動・手動・遠隔切替スイッチ１３４、起動警報スイッチ１３５、起動スイッチ１３６、停止スイッチ１３７、警報停止スイッチ１３８及び非常停止スイッチ１３９が設けられており、また、主電源表示ランプ１４０及び操作電源表示ランプ１４１のほか、脱ぷロール３の挟み付け圧力の数値表示部１４２や警報ブザー１４３が設けられ、さらにこの数値表示部１４２に関連して位置する脱ぷロール模式図１４４などが表示される。
【００３５】
操作電源スイッチ１３３及び操作切替スイッチ１３４は入力部を回し操作する機械式のスイッチであり、操作電源スイッチ１３３は商用電源から電流が供給されている状態の下で入り操作されると、制御系統に電力を供給する状態となるものであり、また操作切替スイッチ１３４は入力部を回し操作することで自動位置、手動位置、遠隔位置の何れかに位置保持される機械式のスイッチで、自動位置では穀物調製設備１が自動モードで運転されるようになり、また手動位置ではそれが手動モードで運転されるようになり、また遠隔位置では遠隔監視操作室内から各部が操作される。
【００３６】
起動警報スイッチ１３５、起動スイッチ１３６、停止スイッチ１３７、警報停止スイッチ１３８及び非常停止スイッチ１３９は、入力部を押し操作される機械的なスイッチであり、この際、起動警報スイッチ１３５は、穀物調製設備１を起動する直前に注意を喚起するために押し操作されるもので、押し状態で入りとなって警報ブザー１４３を作動させるものである。起動スイッチ１３６は、押し状態で入りとなって穀物調製設備１を起動させ、停止スイッチ１３７は押し状態で入りとなって穀物調製設備を停止させる。さらに、警報停止スイッチ１３８は押し操作することにより警報ブザー１４３の作動などを停止させ、非常停止スイッチ１３９は押し操作することにより穀物調製設備１の各作動部の全体を瞬時に停止させるものである。
【００３７】
また、後述する本願発明の要部であるタッチパネルａ４の液晶板は、床面ａ２に立った作業者の目の高さに設けられる。図１３は、タッチパネルの表示面の一例を示す。このタッチパネルａ４及び機械式入力部ａ３に関連した制御機構について作動の順を追って説明する。
【００３８】
まず、制御系統に通電された状態で、操作切替スイッチ１３４を「自動」に位置させると、タッチパネルａ４の表示面１４５には自動モードのメイン画面Ｇ１のうちの「運転中」という文字の代わりに「停止中」という文字が表示された自動モード停止画面が表示される。なお、メイン画面Ｇ１には、穀物調製設備１の各部も同時に表示されており、上述した穀物調製設備１の調製装置に対応する部位には同一の符号を付し、その部位が対応する調製装置を示す表示個所である。
【００３９】
メイン画面Ｇ１上において、脱ぷ風選装置１０１Ａには、原料タンク６内の原料の蓄積状態を示す表示ｊ１、脱ぷロール３への原料タンク６の出口に設けられている原料供給調節弁の開度を示す表示ｊ２、脱ぷロール３の作動状態を示す表示ｊ３、及び、脱ぷロール３用駆動モータの電流値を示すｊ４などが表示され、揺動選別装置１０１Ｂには、混合物タンク２７内の被処理物の蓄積状態を示す表示ｊ５、選別板２９ａの作動状態を示す表示ｊ６、仕切板ｇ１の作動状態を示す表示ｊ７、および選別板２９ａの左右傾斜調節作動状態を示す表示ｊ８などが表示される。
【００４０】
さらに、石抜機１０４には、ファン５６の状態を示す表示ｊ９、粒選別機１０５には選別胴６４の作動状態を示す表示ｊ１０、未熟粒を搬出するためのコンベアの作動状態を示す表示ｊ１１、及び、未熟粒を収集するタンク内の未熟粒の蓄積量の状態を示す表示ｊ１２がそれぞれ表示される。また製品タンク１０９内の製品の蓄積量の状態を示す表示ｊ１３、そして前記した各昇降機２８、１００、１０２、１０８には搬送要部の作動状態を示す表示ｊ１４などが表示される。
【００４１】
このとき例えば、脱ぷロール３の作動状態を示す表示ｊ４は、一対の脱ぷロール３を表す２つの円形図からなり、２つの円形図のそれぞれが回転するようなアニメーションにより脱ぷ風選装置１０１Ａの作動中が表現される。また、揺動選別装置１０１Ｂにおける選別板２９ａの表示ｊ６などは、選別板を表す四角形図からなり、この四角形図が左右へ振動するように、各調製装置の特徴を表したアニメーションなどで表現することもできる。
【００４２】
そして図１４は、タッチパネルを介して調製装置を制御する制御機構のブロック図、図１５はタッチパネルに表示させたメンテナンスモード画面の正面図、図１６はタッチパネルに表示させたメンテナンス１画面の正面図、図１７はタッチパネルに表示させたメンテナンス２画面の正面図を示す。なお、図１４には調製装置の一部である原料昇降機１００の制御機構のみを詳細に示したもので、他の調整装置の詳細な制御機構は省略する。
【００４３】
ここで例えば、メイン画面Ｇ１上において、原料昇降機１００の出口個所には「自動」「循環」「取出」の３つのスイッチｃ１、ｃ２、ｃ３が設けられており、何れか１つに触れると、その信号が図１４に示すコントローラ２００に伝わり、該コントローラ２００が原料昇降機１００の切替操作ｇをその触れたスイッチに対応させた状態にすることができる。なお通常は「循環」の状態に設定されている。そして、原料昇降機１００内の出入口などに設けられた赤外線センサや光センサなどの検出器１００ｓで原料昇降機１００内の原料穀粒の通過状況などを検出した情報に基づいて、コントローラ２００は原料昇降機１００の正常、異常もしくは停止など運転状況をメイン画面Ｇ１上の原料昇降機１００の表示ランプに、色分け点灯や点滅あるいは消灯などで表示させるような制御機構とされる。
【００４４】
また、メイン画面Ｇ１の下辺近傍には、作業者が測定した調製タンク内などの被処理物の水分値を入力する画面を表示させる水分値入力スイッチ１４８、装置の異常発生時に異常要因のタイトル及び対処方法を含む異常内容詳細の記載された異常要因画面を表示させる異常要因スイッチ１４９、各機器の設定画面を表示させる各種設定スイッチ１５０、各装置の稼働データを入力する稼働データスイッチ１５１、各装置の駆動部に対応した各運転・停止スイッチを表示する単動操作スイッチ１５２、選別機自動手動切替画面を表示する選別機スイッチ１５３、各モータのこれまでの電流値の経過を表示する電流モニタスイッチ１５４などが備えられ、各スイッチに触れることでメイン画面Ｇ１に代えて触れたスイッチに該当する画面が表示される。
【００４５】
そして、メイン画面Ｇ１上の例えば脱ぷ風選装置１０１Ａの点線ｔで囲まれた範囲内または、揺動選別装置１０１Ｂの点線ｔで囲まれた範囲内を触れると、各種設定スイッチ１５０に触れて所望する装置の設定画面の呼び出し操作同様に、それぞれの装置に対応した設定画面に一度のタッチで呼び出すショートカットが可能となり、実行頻度の多い設定操作が迅速に行える構成とされる。
【００４６】
さらに、メイン画面Ｇ１の左上部の「自動モード」と表示された個所の近傍が、メンテナンススイッチ１６０となっており、このメンテナンススイッチ１６０を、例えば３秒以上長押しすると、図１５に示すメンテナンスモード画面Ｇ２がメイン画面Ｇ１に代えて表示される。このメンテナンスモード画面Ｇ２上の、例えば右中央部には数字などのキー１６１が表示されており、予め設定された例えば、「５９６３」などのパスワード１６２を入力することでメンテナンスモード画面Ｇ２に代えて後述する本願発明の要部である、図１６に示すような装置の調整方法を設定するためのメンテナンス画面Ｇ３のメニューの一つであるメンテナンス１画面Ｇ３ａが表示される。
【００４７】
このメンテナンス１画面Ｇ３ａには、例えば製品昇降機１０８から落下する製品を袋詰めさせるタンクや、出荷計量機１１０で計量させるタンクなどそれぞれ用途が決まっている複数設置された製品タンク１０９の中から、どのタンクに製品を投入するか予め入力設定したパターン表１６３の中から一つのパターンを選択することで、そのパターンに応じたタンク切替弁ｇ３の切替操作により製品が所望のタンクに投入される。なお、符号１６８は、メイン画面Ｇ１に表示を戻すためのメインスイッチである。
【００４８】
また、メンテナンス１画面Ｇ３ａの下部に配置される、メンテ２スイッチ１６４〜メンテ５スイッチ１６７に表示される例えばメンテ２スイッチ１６４を触れることにより、図１７に示す異種選別機や付属装置などの装置をメイン画面Ｇ１上に表示または非表示とするためのスイッチ１６９〜１７２が該当する装置のアニメーションとともに表示され、これらのスイッチを非表示状態にするように触れ操作すると、触れ操作されたスイッチに対応した装置類がメイン画面Ｇ１上から消失されて、その消された装置類の存在しない状態の穀物調製設備を表す画面がメイン画面Ｇ１として表示される。このように、穀物調製装置の調整方法や表示方法などの設定をメンテナンス１画面Ｇ３ａに入力させ、選択した設定で穀物調製設備を稼働させることができる。
【００４９】
なお、メンテナンス１画面Ｇ３ａおよびメンテ２スイッチ１６４〜メンテ５スイッチ１６７には、上述した以外の穀物調製装置の調整方法や表示方法などの設定を順不問に適宜入力することができ、さらにメンテ２スイッチ１６４〜メンテ５スイッチ１６７を増やすことができる。
【００５０】
前述した図１４に示すように、メイン画面Ｇ１や、メイン画面Ｇ１上に有する各スイッチの選択により誘導されたメンテナンスモード画面Ｇ２やメンテナンス１画面Ｇ３などの誘導画面は、コントローラ２００に全て接続されており、作業者に選択されたメイン画面Ｇ１や誘導画面などに有するスイッチの信号に基づいて、上述同様にコントローラ２００が、脱ぷ風選装置１０１Ａや揺動選別装置１０１Ｂ、製品昇降機１０８など穀物調製設備１内の選択された装置の動作を制御する構成とされる。
【００５１】
そして、例えば作業者が、制御系統に通電された状態で、操作切替スイッチ１３４を「自動」に位置させ、タッチパネルａ４の表示面１４５には、自動モードのメイン画面Ｇ１のうちの「運転中」という文字の代わりに「停止」という文字が表示された自動モード停止画面を表示させる。次に、起動警報スイッチ１３５を押し操作して警報ブザー１４３を鳴らし、これから各部が作動することを周囲の作業者に予知させた後、起動スイッチ１３６を押し操作する。これにより各調整装置はコントローラ２００の指示により予め定めた順に自動的に起動され、定常な運転状態で操業される。また、必要に応じてその都度切替スイッチ１３４を手動にすることにより、タッチパネルａ４の表示面１４５上で装置を手動操作することができる。
【００５２】
次に、本願発明の特徴である揺動選別式籾摺機の調製モード設定制御について、その具体的構成を説明する。図１８は、タッチパネルに表示させた揺動選別式籾摺機の調製モード設定画面の正面図、図１９はタッチパネルに表示させた揺動選別式籾摺機の設定画面を示す正面図、図２０は選択した揺動選別式籾摺機の調製モードをメイン画面に表示させたタッチパネルの一部を示す正面図である。
【００５３】
前述のように、穀物調製設備１に供給される籾や麦などの原料穀粒を穀物調製装置で調整後の、うるち米やもち米、小麦など調整された製品の品種によって、揺動選別式籾摺機１０１での調製条件が異なる。具体的には例えば、籾を脱ぷ処理する際、製品をうるち米、もち米として調製する脱ぷロールの圧力は、０．２０ＭＰａ〜０．４０ＭＰａであるのに対し、製品を小麦にする場合の脱ぷロールの圧力は、０ＭＰａである。また、脱ぷ処理後における揺動選別板２９ａからの選別穀粒における落下経路の切り替え時間についても製品の品種によって異なり、さらにこれら脱ぷロール３の圧力値や揺動選別板２９ａからの落下経路切り替え時間は原料籾の品種によっても変動される。そこで本願発明は、タッチパネルａ４のメンテナンス画面Ｇ３に予め入力設定しておいた揺動選別式籾摺機１０１の製品に対応する複数の調製モードに基づき、これら複数の調製モードの中から一つの調製モードを簡単な選択操作により揺動選別式籾摺機１０１が作動制御される。
【００５４】
まず、この揺動選別式籾摺機１０１の製品に対応する複数の調製モードの入力は、初期入力設定後に設定された各調製モードの条件値などのデータが、容易に元のデータに上書きされるなどで変更され、異なるデータや誤ったデータが入力されることによる調製の誤操作が行われないように、上述したメンテナンスモード画面Ｇ２に、予め設定された例えば、「５９６３」などのパスワード１６２を入力することでメンテナンスモード画面Ｇ２に代えて図１６に示すメンテナンス画面Ｇ３のメニューの一つであるメンテナンス１画面Ｇ３ａを表示させる。ここで、揺動選別式籾摺機１０１の調製モードを入力させるホルダーは特に限定されるものではなく、例えばメンテ３スイッチ１６５を触れるとメンテナンス画面Ｇ３のメニューの一つである揺動選別式籾摺機１０１のメンテナンス３画面Ｇ３ｃが表示される。
【００５５】
図１８に示すようにメンテナンス３画面Ｇ３ｃには、例えば、画面左上部にアニメーションの揺動選別式籾摺機１０１と、画面左下部に数字や英字などのキー１７３とが配置されるとともに、画面右部には、モード名１７４、原料名１７５、製品名１７６、脱ぷ風選装置１０１Ａにおける脱ぷロール３のロール圧１７７、揺動選別板２９ａ内における通路切替弁ｇ２作動タイマーの設定時間１７８などの項目が、複数のモード名１７４ごとに区分けして表示される調製モード設定画面１７９が設けられる。そしてモード名１７４の左側部にはモードの設定有無を円などに色や明るさで表示するインジケータ１８０が設けられる。なお、調製モード設定画面１７９の上方に「揺動選別式籾摺機調製モード」などの見出しを表示させてもよい。さらに、メンテナンス３画面Ｇ３ｃ下部には、メイン画面Ｇ１に表示を戻すためのメイン１８１スイッチや、前述した製品タンク１０９の選定モードなど他の装置の調整方法や表示方法を設定するメンテ１スイッチ１８２〜メンテ５スイッチ１８５などが配置される。これらモード数やメンテスイッチは増設してもよい。
【００５６】
そして、作業者はキー１７３を使用してモード名１７４ごとに原料名１７５および製品名１７６の入力を行い、それら原料名１７５と製品名１７６とに対応した、脱ぷ風選装置１０１Ａの脱ぷロール３のロール圧１７７や、揺動選別装置１０１Ｂの通路切替弁ｇ２のタイマー１７８による作動時間などの入力を行い、揺動選別式籾摺機１０１の調製モードの初期設定がなされる。この初期設定が終了すると、一定時間経過もしくはメイン１８０スイッチに触れることでメンテナンス３画面Ｇ３ｃに代えてメイン画面Ｇ１を表示させ、予め設定されたメンテナンスモード画面Ｇ２に入力するパスワードを知らない者にはメンテナンス３画面Ｇ３ｃを表示させない構成とされる。
【００５７】
次に、初期設定がなされた上記揺動選別式籾摺機１０１の調製モードは、図１３に示すメイン画面Ｇ１上に有する各種設定スイッチ１５０を触れることで、不図示の各装置名を表示させた各種設定画面から揺動選別式籾摺機１０１の表示を選択して触れることにより、図１９に示すように揺動選別式籾摺機設定画面Ｇ４に例えば、画面左のアニメーションの揺動選別式籾摺機１０１とともに前述の調製モード設定画面１７９を調製モード切替画面１７９´として画面右に表示される。この調製モード切替画面１７９´では、モード名１７４´やロール圧１７７´など調製モードの各項目データを入力することはできず、初期設定された複数の調製モードを有する調製モード切替画面１７９´の各調製モードから所望する製品に調整する一つの調製モードを該当する調製モードが記されたカラム内を触れることにより選択する構成とされる。そして、選択された調製モードは、該カラムおよびインジケータ１８０´の点灯色を変えるなどして該調製モードが選択されたことを知らせる。なお、メイン１８６スイッチはメイン画面Ｇ１を表示させるスイッチ、各種設定１８７スイッチは各種設定画面を表示させるスイッチである。
【００５８】
また、図２０に示すように、メイン画面Ｇ１上に、上記揺動選別式籾摺機設定画面Ｇ４を表示させるためのモード１８８スイッチを表示させることもできる。この場合、モード１８８の表示場所に限定はないが、揺動選別式籾摺機１０１の調製モードであるため、例えば揺動選別装置１０１Ｂのアニメーション上方であって、混合物タンク２７右方の空きスペースなどに、モード１８８スイッチを表示させてもよい。これにより、稼働もしくは停止中の穀物調製設備１における現在設定中の揺動選別式籾摺機１０１の調製モードが、タッチパネルａ４に通常表示されるメイン画面Ｇ１上の揺動選別式籾摺機１０１近傍  に表示されるので、作業者は現在の調製モードを簡単な操作で確認し易く、異なる調製モードへの変更などの誤操作を防止することができる。
【００５９】
図２１は、調製モードによる揺動選別式籾摺機の制御ブロック図、図２２はメンテナンス３画面に揺動選別式籾摺機の調製モードを入力させるフロー図である。これら図２１および２２に基づいて、コントローラ２００による揺動選別式籾摺機１０１のモード調整手段を説明する。
【００６０】
図２１に示すように、メイン画面Ｇ１などの各画面や、メンテナンス３画面Ｇ３ｃに有するモード名１７４などの入力欄をはじめとする各画面のスイッチおよび揺動選別式籾摺機１０１などの各装置および各装置を駆動させるモータや駆動状態などを検出する検出器は、コントローラ２００に接続されている。
【００６１】
そこでまず、コントローラ２００は、作業者がタッチパネルａ４におけるメイン画面Ｇ１のメンテナンススイッチ１６０を、例えば３秒以上長押しすることにより、メイン画面Ｇ１に代えてメンテナンスモード画面Ｇ２を表示させる。このときコントローラ２００はステップｓｔ１で、作業者から入力されたパスワードを予め設定されているパスワードと照合させ、同一であれば  メンテナンス１画面Ｇ３ａを表示させるが、パスワードが同一でなければメンテナンスモード画面Ｇ２のままの表示とさせる。なお、メンテナンスモード画面Ｇ２のまま一定時間経過すれば、メイン画面Ｇ１に戻される。
【００６２】
次に、メンテナンス１画面Ｇ３ａにおいて、ステップｓｔ２で例えばメンテ３スイッチ１６５が選択された場合、コントローラ２００は、メンテナンス３画面Ｇ３ｃをメンテナンス１画面Ｇ３ａに代えて表示させるが、メンテ３スイッチ１６５が選択されず、他のスイッチが選択された場合は、他の画面あるいはスイッチが選択されない場合はメンテナンス１画面Ｇ３ａのままの状態であり、それが継続され一定時間経過後はメイン画面Ｇ１に戻される。
【００６３】
そして、メンテナンス３画面Ｇ３ｃにおいて、ステップｓｔ３で揺動選別式籾摺機１０１を調整するモード名１７４、原料名１７５、製品名１７６、ロール圧１７７、タイマー設定時間１７８などの項目が入力されると、コントローラ２００は、これらデータを記憶するとともに、一定時間経過もしくはメイン１８０スイッチが選択されることでメンテナンス３画面Ｇ３ｃに代えてメイン画面Ｇ１に戻すが、未入力のままの状態が一定時間継続されるとメイン画面Ｇ１に戻される。
【００６４】
次いで、コントローラ２００は、作業者がメイン画面Ｇ１の各種設定スイッチ１５０を介して揺動選別式籾摺機１０１の表示を触れることにより、メイン画面Ｇ１に代えて、メンテナンス３画面Ｇ３ｃで設定した調製モード切替画面１７９´を表示させた揺動選別式籾摺機設定画面Ｇ４を表示させる。
【００６５】
そして、作業者により調製モード切替画面１７９´に表示される複数の調製モードの中から選択された一つの調製モードのデータに基づいて、コントローラ２００は、脱ぷ風選装置１０１Ａの脱ぷロール３近傍に有するレーザセンサまたは超音波センサなどの検出器１８９が測定した一対の脱ぷロール３間の距離の情報に基づき、脱ぷ風選装置１０１Ａの脱ぷロール３の一方を、該脱ぷロール３の近傍に有するモータ１９０により回動させ、選択された前記調製モードに設定されているロール圧力１７７の値に対応するように脱ぷロール３間の距離が調節される。
【００６６】
さらに、コントローラ２００は、揺動選別装置１０１Ｂにおける揺動選別板２９ａ内の通路切替弁ｇ２を、前記調製モードに設定されているタイマー設定時間１７８の値に基づいて、穀物調製設備１の稼働中に該設定時間による不図示のタイマーで、揺動選別板２９ａ近傍に有するモータ１９１によって回動させる。
【００６７】
このように、メンテナンス３画面Ｇ３ｃで簡単に選択した調製モードに予め設定されている、ロール圧力１７７の値に対応して脱ぷロール３間の距離が調節されるため、籾などの原料穀粒の脱ぷ圧を調整し、脱ぷ状態を変えるとともに、タイマー設定時間１７８に基づいて、揺動選別板２９ａで揺動選別される選別穀粒の揺動選別回数を、循環または仕上げに誘導する通路切替弁ｇ２の作動時間で調整し、選別度合を変えることができるため、穀物調製設備１において同一の原料穀粒から異なる製品を簡単な操作で得ることができ、しかも製品の品種を切り替えても素早く、かつ簡単に調整変更操作を行うことができる。そして、調製モードの初期設定がパスワードにより保護され、現在の調製モードをメイン画面Ｇ１で常に把握できるため、調整での誤操作を防止することができる。
【００６８】
以上詳述したように、穀物調製装置（揺動選別式籾摺機１０１や粒選別機投入昇降機１０２など）と、揺動選別式籾摺機１０１や粒選別機投入昇降機１０２などをタッチパネルａ４（表示部）を介して制御する制御機構とを備え、タッチパネルａ４の揺動選別式籾摺機１０１の調整方法を設定するメンテナンス３画面Ｇ３ｃに揺動選別式籾摺機１０１の調製モードを複数設定可能とする、調製モード設定画面１７９を設けるとともに、タッチパネルａ４の揺動選別式籾摺機１０１の設定を行う揺動選別式籾摺機設定画面Ｇ４に調製モード設定画面１７９で設定した複数の調製モードを表示する調製モード切替画面１７９´を設け、調製モード切替画面１７９´の複数の調製モードから選択した１の調製モードにより、揺動選別式籾摺機１０１を作動させるコントローラ２００（モード調製手段）を制御機構に備えるものである。加えて、メイン画面Ｇ１に調製モード切替画面１７９´を有する設定画面Ｇ４を表示させるためのモード１８８スイッチを備え、調製モードは、揺動選別式籾摺機１０１に有する脱ぷロール３のロール圧力１７７と、揺動選別板２９ａの通路切替弁ｇ２のタイマー１７８との組み合わせである。
【図面の簡単な説明】
【００６９】
【図１】本発明の一例としての穀物調製設備のフローシートである。
【図２】穀物調製設備を右前面から見た斜視図である。
【図３】穀物調製設備を右後面から見た斜視図である。
【図４】穀物調製設備の正面図である。
【図５】穀物調製設備の平面図である。
【図６】揺動選別式籾摺機の全体斜視図である。
【図７】揺動選別式籾摺機の全体正面断面図である。
【図８】揺動選別装置の正面模式図である。
【図９】揺動選別装置の側面模式図ある。
【図１０】仕上風選装置及び石抜機の側面断面図である。
【図１１】制御盤の斜視図である。
【図１２】制御盤のモニター部の正面図である。
【図１３】タッチパネルの表示面の一例である。
【図１４】タッチパネルを介して調製装置を制御する制御機構のブロック図である。
【図１５】タッチパネルに表示させたメンテナンスモード画面の正面図である。
【図１６】タッチパネルに表示させたメンテナンス１画面の正面図である。
【図１７】タッチパネルに表示させたメンテナンス２画面の正面図である。
【図１８】タッチパネルに表示させた揺動選別式籾摺機の調製モード設定画面の正面図である。
【図１９】タッチパネルに表示させた揺動選別式籾摺機の設定画面を示す正面図である。
【図２０】選択した揺動選別式籾摺機のモードスイッチをメイン画面に表示させたタッチパネルの一部を示す正面図である。
【図２１】調製モードによる揺動選別式籾摺機の制御ブロック図である。
【図２２】メンテナンス３画面に揺動選別式籾摺機の調製モードを入力させるフロー図である。
【図２３】従来の穀物調製設備を右前面から見た斜視図である。
【符号の説明】
【００７０】
１    穀物調製設備
３    脱ぷロール
２９ａ    揺動選別板
９０    固定枠板
９３    モータ
１０１    揺動選別式籾摺機
１０１Ｂ    揺動選別装置
１４５    表示面
１７４    モード名
１７５    原料名
１７６    製品名
１７７    ロール圧
１７８    タイマー
１７９    調製モード設定画面
１７９´    調製モード切替画面
１８８    モード表示部
２００    コントローラ
ａ４    タッチパネル
ｇ２    通路切替弁
Ｇ１    メイン画面
Ｇ３    設定画面
Ｇ３ｃ    メンテナンス３画面
Ｇ４    揺動選別式籾摺機設定画面
【図１】
2007326005.tif 000003
【図２】
2007326005.tif 000004
【図３】
2007326005.tif 000005
【図４】
2007326005.tif 000006
【図５】
2007326005.tif 000007
【図６】
2007326005.tif 000008
【図７】
2007326005.tif 000009
【図８】
2007326005.tif 000010
【図９】
2007326005.tif 000011
【図１０】
2007326005.tif 000012
【図１１】
2007326005.tif 000013
【図１２】
2007326005.tif 000014
【図１３】
2007326005.tif 000015
【図１４】
2007326005.tif 000016
【図１５】
2007326005.tif 000017
【図１６】
2007326005.tif 000018
【図１７】
2007326005.tif 000019
【図１８】
2007326005.tif 000020
【図１９】
2007326005.tif 000021
【図２０】
2007326005.tif 000022
【図２１】
2007326005.tif 000023
【図２２】
2007326005.tif 000024
【図２３】
2007326005.tif 000025